【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】
ダイレクト・アクセス・ストレージ装置（ＤＡＳＤ）の各ヘッドに対して、二つの異なったディスク半径での読み出しヘッドに結合したゲイン可変増幅器（ＶＧＡ）に加えられるディジタル増幅器コントロール（ＤＡＣ）信号の比を確認し、前記二つの異なったディスク半径での初期読み出し振幅の比を確認し、この振幅の比を記憶するステップと、
前記ＤＡＳＤの動作中に、読み出し振幅を監視し、二つの異なったディスク半径での動作中の読み出し振幅の比を連続的に確認するステップと、
前記初期の読み出し振幅の比の値と前記動作中の読み出し振幅の比の値との間の変化値を連続的に計算するステップと、
前記変化値と低浮上スライダーと判定する閾値とを連続的に比較するステップと、
前記比較した変化値が前記閾値よりも大きい場合に反応して低浮上高さ警告を発生するステップと、
を含むことを特徴とするダイレクト・アクセス・ストレージ装置（ＤＡＳＤ）の低浮上高さ警告をそのままの状態で実行する方法。
【請求項２】
前記ＤＡＳＤの動作中に、読み出し振幅を監視し、二つの異なったディスク半径での動作中の読み出し振幅の比を連続的に確認するステップは、読み出し振幅を監視し、ディスクの内周トラック及びディスクの外周トラックでの動作中の読み出し振幅の比を連続的に確認するステップを含む請求項１記載の低浮上高さ警告をそのままの状態で実行する方法。
【請求項３】
前記ＤＡＳＤの動作中に、読み出し振幅を監視し、二つの異なったディスク半径での動作中の読み出し振幅の比を連続的に確認するステップは、二つの異なったディスク半径での読み出しヘッドから得られる読み出し電圧の自然対数の比を確認するステップを含む請求項１記載の低浮上高さ警告をそのままの状態で実行する方法。
【請求項４】
ダイレクト・アクセス・ストレージ装置（ＤＡＳＤ）の各ヘッドに対して、二つの異なったディスク半径での初期読み出し振幅の比を確認し、記憶するステップと、
二つの異なったディスク半径での読み出しヘッドに結合したゲイン可変増幅器（ＶＧＡ）に加えられるディジタル増幅器コントロール（ＤＡＣ）信号の比を確認するステップを含み、前記ＤＡＳＤの動作中に読み出し振幅を監視し二つの異なったディスク半径での動作中の読み出し振幅の比を連続的に確認するステップと、
前記初期の読み出し振幅の比の値と前記動作中の読み出し振幅の比の値との間の変化値を連続的に計算するステップと、
前記変化値と低浮上スライダーと判定する閾値とを連続的に比較するステップと、
前記比較した変化値が前記閾値よりも大きい場合に反応して低浮上高さ警告を発生するステップと、
を含むダイレクト・アクセス・ストレージ装置（ＤＡＳＤ）の低浮上高さ警告をそのままの状態で実行する方法。
【請求項５】
前記ＤＡＳＤの各ヘッドに対して、二つの異なったディスク半径での初期読み出し振幅の比を確認し、記憶するステップは、前記ＤＡＳＤの各ヘッドに対して二つの異なったディスク半径での読み出しヘッドから得られる読み出し電圧の自然対数の比を確認するステップを含む請求項４記載の低浮上高さ警告をそのままの状態で実行する方法。
【請求項６】
前記ＤＡＳＤの各ヘッドに対して、二つの異なったディスク半径での初期読み出し振幅の比を確認し、記憶するステップは、前記ＤＡＳＤの各ヘッドに対してディスクの内周トラック及びディスクの外周トラックでの初期読み出し振幅の比を確認し、記憶するステップを含む請求項４記載の低浮上高さ警告をそのままの状態で実行する方法。
【請求項７】
ダイレクト・アクセス・ストレージ装置（ＤＡＳＤ）の各ヘッドに対して二つの異なったディスク半径での読み出しヘッドに結合したゲイン可変増幅器（ＶＧＡ）に加えられるディジタル増幅器コントロール（ＤＡＣ）信号の初期の比を含む初期読み出し振幅の比を記憶するメモリーと、
読み出し振幅データを処理するための読み出しチャネルを監視し、二つの異なったディスク半径での動作中の読み出し振幅の比を生成する比率発生器と、
前記ＤＡＳＤの各ヘッドに対して前記動作中の読み出し振幅の比と前記記憶された初期読み出し振幅の比の間の変化値と、低浮上スライダーと判定するための予め定義された閾値とを比較する比較器と、
前記比較した変化値が前記閾値よりも大きい場合に反応して低浮上高さ警告を発生する警告発生器と、
を有するダイレクト・アクセス・ストレージ装置の低浮上高さ警告をそのままの状態で実行する装置。
【請求項８】
前記動作中の読み出し振幅の比は、前記二つの異なったディスク半径での読み出しヘッドから得られる読み出し電圧の自然対数の動作中の比を含むことを特徴とする請求項７記載のダイレクト・アクセス・ストレージ装置にて低浮上高さ警告をそのままの状態で実行する装置。
【請求項９】
ダイレクト・アクセス・ストレージ装置（ＤＡＳＤ）の各ヘッドに対して二つの異なったディスク半径での初期読み出し振幅の比を記憶するメモリーと、
読み出し振幅データを処理するための読み出しチャネルを監視し、二つの異なったディスク半径での読み出しヘッドに結合したゲイン可変増幅器（ＶＧＡ）に加えられるディジタル増幅器コントロール（ＤＡＣ）信号の動作中の比を含み、前記二つの異なったディスク半径での読み出しヘッドの動作中の読み出し振幅の比を生成する比率発生器と、
前記ＤＡＳＤの各ヘッドに対して前記動作中の読み出し振幅の比と前記記憶された初期読み出し振幅の比の間の変化値と、低浮上スライダーと判定するための予め定義された閾値とを比較する比較器と、
前記比較した変化値が前記閾値よりも大きい場合に反応して低浮上高さ警告を発生する警告発生器と、
を有するダイレクト・アクセス・ストレージ装置の低浮上高さ警告をそのままの状態で実行する装置。
【請求項１０】
前記ＤＡＳＤの各ヘッドに対する二つの異なったディスク半径での前記初期読み出し振幅の比は、前記二つの異なったディスク半径での読み出しヘッドから得られる読み出し電圧の自然対数の初期の比を含む請求項９記載のダイレクト・アクセス・ストレージ装置にて低浮上高さ警告をそのままの状態で実行する装置。
【請求項１１】
コンピュータで読み取り可能な媒体上に複数のコンピュータで実行可能な命令を有し、低浮上高さ検出システムを有するダイレクト・アクセス・ストレージ装置（ＤＡＳＤ）で低浮上高さ警告をそのままの状態で実行するコンピュータ・プログラム・プロダクトにおいて、
前記命令は、前記低浮上高さ検出システムによって実行されると、該低浮上高さ検出システムに対して、
前記ＤＡＳＤの各ヘッドに対して、二つの異なったディスク半径での読み出しヘッドに結合したゲイン可変増幅器（ＶＧＡ）に加えられるディジタル増幅器コントロール（ＤＡＣ）信号の比を確認し、二つの異なったディスク半径での初期読み出し振幅の比を確認し、記憶するステップと、
前記ＤＡＳＤの動作中に、読み出し振幅を監視し、二つの異なったディスク半径での動作中の読み出し振幅の比を連続的に確認するステップと、
前記初期の読み出し振幅の比の値と前記動作中の読み出し振幅の比の値との間の変化値を連続的に計算するステップと、
前記変化値と低浮上スライダーと判定するための閾値とを連続的に比較するステップと、
前記比較した変化値が前記閾値よりも大きい場合に反応して低浮上高さ警告を発生するステップと、
を実行させるコンピュータ・プログラム・プロダクト。